(57)【要約】      （修正有）【課題】ペーパーの中心が真の搬送中心からずれることなく、ペーパーを送り出すことができ、装置本体に装着した際に、該装置本体のプリント部で適正に画像を形成することができるマガジンを提供する。【解決手段】支持部１１で支持されたロール体Ｒから巻きの解かれたペーパーＰを圧着して下流側に送り出す一対のローラ１３ａ，１３ｂで送り出されるペーパーＰの両側端に接触し、該ペーパーＰの幅方向の移動を規制する一対のガイド体とを備え、前記一対のガイド体のうち、一方のガイド体が固定され、他方のガイド体が一方に向けて付勢されたマガジンであって、前記一対のローラ１３ａ，１３ｂは、ガイド体間に配設されるとともに、何れか一方のローラ１３ａが、他方のローラ１３ｂの軸心に対してペーパーＰの送り出し方向で上流側、又は下流側に軸心を変位させて設けられている。【選択図】図２
2005154021.tif 000002
【特許請求の範囲】
【請求項１】
装置本体のプリント部でプリント処理される長尺なペーパーをロール状にしたロール体を軸心周りで回転可能に支持する支持部と、該支持部で支持されたロール体から巻きの解かれたペーパーを圧着して下流側に送り出す一対のローラと、該一対のローラで送り出されるペーパーの両側端に接触し、該ペーパーの幅方向の移動を規制する一対のガイド体とを備え、前記一対のガイド体のうち、一方のガイド体が固定され、他方のガイド体が一方のガイド体に向けて付勢され、装置本体に装着された状態で、ペーパーを一対のガイド体でガイドしつつプリント部に向けて送り出すように構成されたマガジンであって、前記一対のローラは、ガイド体間に配設されるとともに、何れか一方のローラが、他方のローラの軸心に対してペーパーの送り出し方向で上流側、又は下流側に軸心を変位させて設けられ、一対のローラ間を通過するペーパーをガイド体間で長手方向に迂曲させるようにしたことを特徴するマガジン。
【請求項２】
前記一方のローラは、他方のローラの軸心に対してペーパーの送り出し方向で下流側に軸心を変位させて設けられ、他方のローラが回転駆動可能に構成されるとともに、一方のローラが他方のローラに対して従動回転可能に構成されてなる請求項１記載のマガジン。
【請求項３】
前記一方のローラが他方のローラに向けて付勢状態で取り付けられるホルダーと、該ホルダーに取り付けられたローラを基準に、ペーパーの送り出し方向の上流側で、且つ一方のローラを付勢する方向でホルダーに挿通される抜止ガイドピンとを備え、該抜止ガイドピンは、前記ホルダーが他方のローラから離間する方向に脱落するのを防止する抜止部が形成され、前記ホルダーが、抜止ガイドピン周りで回転可能に構成されてなる請求項１又は２記載のマガジン。
【請求項４】
前記抜止ガイドピンが挿通されるホルダーの挿通穴が抜止ガイドピンの径より大きく設定され、該抜止ガイドピンの抜止部が、ローラを付勢する方向に向けて先細りしてテーパー状に形成されてなる請求項３記載のマガジン。
【発明の詳細な説明】
【技術分野】
【０００１】
本発明は、印刷や露光・現像処理等によるプリント処理の対象となるペーパーを収容するマガジンに関する。具体的には、長尺なペーパーをロール状にしたロール体を収容した状態でプリント処理を施すプリント部を備えた装置本体に装着し、収容したロール体から装置本体のプリント部に向けてペーパーを順次送り出せるように構成されたマガジンに関する。
【背景技術】
【０００２】
従来から、紙や感光紙等のペーパーにプリント処理する（画像を形成する）画像形成装置として、大量処理が要求される業務用のプリンタや、写真処理装置がある。これらの大量処理が要求される画像形成装置は、ペーパーの補充作業の省力化や、連続処理性の向上等の観点から、ペーパーに画像を形成するプリント部を備えた装置本体に、長尺なペーパーをロール状にしたロール体を収容したマガジンを装着し、該マガジンからペーパーを連続的にプリント部に向けて送り出せるように構成されているのが一般的である。
【０００３】
かかるマガジンとしては、装置本体に一体的に構成されたものや、着脱自在に構成されたものがあるが、何れにおいても、装置本体のプリント部における画像を形成する適正な領域にペーパーを送り込むことができるように、引き出されるペーパーの両側端をガイドして幅方向の移動を規制する一対のガイド体を備えている。
【０００４】
該一対のガイド体は、一方のガイド体が固定されるとともに、他方のガイド体が一方のガイド体に向けて付勢されており、該ガイド体の付勢でペーパーを一方のガイド体に押しつけることで、ペーパーの移動を規制するように構成されている。
【０００５】
また、このマガジンは、一対のガイド体間にペーパーを両面から圧着して搬送する一対のローラを備えており、ペーパーをガイド体でガイドしつつプリント部に向けて円滑に送り出せるようになっている。
【発明の開示】
【発明が解決しようとする課題】
【０００６】
しかしながら、前記マガジンは、他方のガイド体を一方のガイド体に向けて付勢し、ペーパーを一方のガイド体に押しつけることで、ペーパーの幅方向の移動を規制するようにしているため、該他方のガイド体の付勢にペーパーが負けて幅方向に撓んでしまう場合がある。
【０００７】
そうすると、ペーパーは、該マガジンから引き出された際にガイド体によるガイドが解除されて撓み状態も解除されることになるが、撓み状態の解除に伴い、ペーパーをプリント部に導く真の搬送軌道の中心と、ペーパーの中心とがずれてしまうことがある。そのため、ペーパーは、中心が真の搬送軌道の中心からずれたままプリント部に送給されてしまい、ペーパーに対して画像がずれた状態で形成されてしまうといった問題があった。
【０００８】
特に、写真処理分野では、ペーパーの全面に画像を形成する、いわゆるフチなしプリントが要求されることが多く、上述の如く、ペーパーが搬送中心からずれたまま搬送されると、フチなしプリントを行うはずがペーパーの端に画像のない領域（白ブチ）が形成されてしまい、品質の低下の原因となっている。
【０００９】
そこで、本発明は、斯かる実情に鑑み、ペーパーの中心が真の搬送軌道の中心からずれることなく、ペーパーを送り出すことができ、装置本体に装着した際に、該装置本体のプリント部で適正に画像を形成することができるマガジンを提供する。
【課題を解決するための手段】
【００１０】
本発明にかかるマガジンは、装置本体のプリント部でプリント処理される長尺なペーパーをロール状にしたロール体を軸心周りで回転可能に支持する支持部と、該支持部で支持されたロール体から巻きの解かれたペーパーを圧着して下流側に送り出す一対のローラと、該一対のローラで送り出されるペーパーの両側端に接触し、該ペーパーの幅方向の移動を規制する一対のガイド体とを備え、前記一対のガイド体のうち、一方のガイド体が固定され、他方のガイド体が一方のガイド体に向けて付勢され、装置本体に装着された状態で、ペーパーを一対のガイド体でガイドしつつプリント部に向けて送り出すように構成されたマガジンであって、前記一対のローラは、ガイド体間に配設されるとともに、何れか一方のローラが、他方のローラの軸心に対してペーパーの送り出し方向で上流側、又は下流側に軸心を変位させて設けられ、一対のローラ間を通過するペーパーをガイド体間で長手方向に迂曲させるようにしたことを特徴する。なお、ここでペーパーとは、一般的な紙は勿論のこと、感光紙等の化学処理の施されたものも含む概念である。また、プリント処理とは、ペーパーにインクによって印刷を施すことは勿論のこと、感光紙に対して露光処理・現像処理を施し、該感光紙に画像を形成することを含む概念である。
【００１１】
上記構成のマガジンによれば、一方のガイド体が固定され、他方のガイド体が一方のガイド体に向けて付勢されているので、他方のガイド体によってペーパーが一方のガイド体に押しつけられることになる。そして、該ガイド体間に配設された一対のローラのうちの何れか一方のローラが、他方のローラの軸心に対してペーパーの送り出し方向で上流側、又は下流側に軸心を変位させて設けられているので、下流側に送り出されるペーパーがガイド体間で長手方向に迂曲することになる。そうすると、ガイド体間に位置するペーパーにおける幅方向の強度（コシ）が強くなり、ペーパーは、他方のガイド体の押し付け力（付勢力）に耐え得ることとなって、幅方向に真っ直ぐになった状態で常に下流側に送り出されることになる。
【００１２】
これにより、装置本体に装着した状態で、ペーパーの中心と真の搬送軌道の中心とにズレが生じることなく、マガジンからペーパーをプリント部に向けて送り出すことができる。その結果、プリント部に送り込まれたペーパーに対し、適正に画像を形成することができる。
【００１３】
また、本発明の一態様として、前記一方のローラは、他方のローラの軸心に対してペーパーの送り出し方向で下流側に軸心を変位させて設けられ、他方のローラが回転駆動可能に構成されるとともに、一方のローラが他方のローラに対して従動回転可能に構成されてもよい。
【００１４】
このようにすれば、ロール体を交換、或いは補充すべく、ロール体から巻きの解かれたペーパーの先端部をローラ間に送り込むに際し、ペーパーの先端が下流側に位置する一方のローラに接触した後に、該ローラに沿って一対のローラ間に入り込んで圧着されることになる。すなわち、下流側に軸心が変位した一方のローラが、他方のローラの回転に従動するため、ペーパーの先端部が回転駆動する他方のローラによってローラ間に無理に引き込まれることがなく、ローラ間に円滑に入り込むことになり、ペーパーを傷めるのを防止することができる。
【００１５】
さらに、本発明の一態様として、前記一方のローラが他方のローラに向けて付勢状態で取り付けられるホルダーと、該ホルダーに取り付けられたローラを基準に、ペーパーの送り出し方向の上流側で、且つ一方のローラを付勢する方向でホルダーに挿通される抜止ガイドピンとを備え、該抜止ガイドピンは、前記ホルダーが他方のローラから離間する方向に脱落するのを防止する抜止部が形成され、前記ホルダーが、抜止ガイドピン周りで回転可能に構成されてもよい。
【００１６】
このようにすれば、他方のローラに向けて付勢された一方のローラが、他方のローラに当接すると、一方のローラを付勢する付勢力の反力がホルダー自身に作用し、当該ホルダーが抜止ガイドピンの抜止部によって脱落が防止されることになる。そして、ホルダーが抜止ガイドピン周りに回転可能に構成されているので、喩え、取付時に他方のローラの軸心に対して一方のローラの軸心が平行になっていなくても、ペーパーを下流側に送り出すためにローラを回転させると、一方のローラが他方のローラの姿勢に対応しようとしてホルダーが抜止ガイドピン周りで回転する。その結果、一対のローラは、互いの軸心を略平行した状態で回転することになり、送り出されるペーパーの指向性能が高まることになる。
【００１７】
したがって、一対のローラの組み付け時に煩雑なローラの位置決め作業を行うことなく、一対のローラの軸心を平行にすることができ、当該マガジンを当該ローラによるペーパーに送り出し方向の指向性能を高めたものにすることができる。
【００１８】
この場合、前記抜止ガイドピンが挿通されるホルダーの挿通穴が抜止ガイドピンの径より大きく設定され、該抜止ガイドピンの抜止部が、ローラを付勢する方向に向けて先細りしてテーパー状に形成されてもよい。このようにすれば、ホルダーは、テーパ状をなす抜止部の外周に線接触することになるので、ホルダーと抜止ガイドピントとの接触（回転）抵抗を小さくすることができ、当該ホルダーを円滑に抜止ガイドピン周りで回転させることができる。
【発明の効果】
【００１９】
以上のように、本発明のマガジンによれば、ペーパーの中心が真の搬送軌道の中心からずれることなく、ペーパーを送り出すことができ、装置本体に装着した際に、該装置本体のプリント部で適正に画像を形成することができる。
【発明を実施するための最良の形態】
【００２０】
以下、本発明にかかるマガジンの一実施形態について、添付図面を参酌しつつ説明する。なお、本発明にかかるマガジンは、ペーパーに画像を形成する種々の画像形成装置に対して採用できるが、本実施形態においては、写真プリント用のインクジェットプリンタに採用した場合を一例にして説明する。
【００２１】
図１は、本実施形態にかかるインクジェットプリンタの全体斜視図であり、図２は、マガジン装置の概略側面図である。図３は、図２のＸ−Ｘ断面図であって、後述するペーパー挿通体の横断面図であり、図４は、図３のＹ−Ｙ断面図であって、ペーパー挿通体の縦断面図である。
【００２２】
本実施形態にかかるインクジェットプリンタは、図１に示す如く、長尺なペーパーをロール状にした（巻き回した）ロール体を収容するマガジン１と、該マガジン１から送り出され、搬送されるくるペーパーに対して画像を形成するプリント部２１を備えた装置本体２とで構成されている。なお、本実施形態にかかるロール体は、両端部に円板状の鍔が形成された円筒状の芯体周りに長尺なペーパーが巻き付けられたものである。
【００２３】
前記マガジン１は、図２に示す如く、該マガジン１の骨格を形成するフレーム１０と、該フレーム１０に取り付けられ、ロール体Ｒを支持する支持部１１と、該支持部１１に支持されたロール体Ｒから巻きが解かれたペーパーＰの幅方向における移動を規制する一対のガイド体１２ａ，１２ｂ（図３参照）と、該一対のガイド体１２ａ，１２ｂ間でペーパーＰを圧着搬送する一対のローラ１３ａ，１３ｂとを備えている。また、該マガジン１は、一方のローラ１３ａを取り付けるためのホルダー１４と、該ホルダー１４をフレーム１０（後述するペーパー挿通体１０１）に取り付けるための二本の抜止ガイドピン１５ａ，１５ｂ（図４参照）とを更に備えている。
【００２４】
前記フレーム１０は、所定の間隔をおいて対向する一対の側壁部１００と、各側壁部１００の上端部である後述する延出部１００ｂ同士を連結するペーパー挿通体１０１と、各側壁部１００の下端同士を連結する底フレーム部（図示しない）とで構成されている。各側壁部１００は、前記底フレーム部が連結された横長部１００ａと、該横長部１００ａの一端から上方に向けて延出した延出部１００ｂとで構成されており、側面視略Ｌ字状に形成されている。
【００２５】
前記ペーパー挿通体１０１は、図３に示す如く、一方のローラ１３ａが取り付けられる第一部材１０１ａと、他方のローラ１３ｂが取り付けられる第二部材１０１ｂと、前記第一部材１０１ａ及び第二部材１０１ｂの一側端同士を連結する側端部材１０１ｃとで構成されている。
【００２６】
前記第一部材１０１ａ及び第二部材１０１ｂは、別体で構成されており、所定の間隔を有して互いに対向して配設されている。該第一部材１０１ａ、及び第二部材１０１ｂは、互いに対向する面が略矩形状に形成されるとともに、平滑な平面状態をなしてペーパーＰの両面をガイドするガイド面Ｇを構成し、ガイド面Ｇ間にペーパーＰを通過させるペーパー挿通用隙間Ｓを形成している。
【００２７】
なお、本実施形態においては、第一部材１０１ａのガイド面Ｇは、短手方向の長さがペーパーＰの幅（短手方向の長さ）よりも狭く設定されており、第二部材１０１ｂのガイド面Ｇの短手方向の長さと同一に設定されている。また、第一部材１０１ａのガイド面Ｇは、長手方向がペーパーＰの送り出し方向となるように設定されており、該長手方向の長さが第二部材１０１ｂのガイド面Ｇの長手方向の長さよりも短く設定されている。
【００２８】
前記第一部材１０１ａには、前記一方のローラ１３ａを取り付けるホルダー１４を内装するホルダー内装部１０２が形成されている。該ホルダー内装部１０２は、図４に示す如く、該第一部材１０１ａのガイド面Ｇとは反対側の面に開口を形成し、ホルダー１４を収容するための凹部１０３と、該凹部１０３の奥部の面、及びガイド面Ｇに開口を形成した貫通穴１０４とで構成されている。
【００２９】
前記貫通穴１０４は、角形の穴であり、ホルダー１４の後述する被遊嵌部１４０を遊嵌できるように、凹部１０３の開口（奥部の面）寸法よりも小さく設定されている。該貫通穴１０４は、凹部１０３の奥部の面が、該貫通穴１０４に対してペーパーＰの送り出し方向の上流側、及び下流側に残る位置に形成されている。
【００３０】
さらに、該第一部材１０１ａは、貫通穴１０４によりガイド面Ｇに形成された開口を基準にガイド面Ｇの長手方向の一端側、及び他端側に、前記抜止ガイドピン１５ａ，１５ｂを取り付けるためのネジを挿通する貫通したネジ挿通穴（図示しない）が穿設されている。該ネジ挿通穴は、ガイド面Ｇ、及び凹部１０３の奥部の面に開口を形成しており、ネジ部材をガイド面Ｇと直交させて挿通できるように形成されている。また、該ネジ挿通穴は、ガイド面Ｇからネジ部材の頭が突出しないように、ガイド面Ｇ側にザグリ部（図示しない）を有している。
【００３１】
前記第二部材１０１ｂは、他方のローラ１３ｂを枢着状態で収容する第二ローラ収容穴１０６が形成されている。該第二ローラ収容穴１０６は、第一部材１０１ａのガイド面Ｇに形成された開口と略対応する該第二部材１０１ｂのガイド面Ｇの領域に開口を形成しており、ローラ１３ｂの軸心をガイド面Ｇの短手方向に位置させ、且つ該開口を介して収容した他方のローラ１３ｂの外周の一部がガイド面Ｇから第一部材１０１ａ側に突出した状態で、該ローラ１３ｂを枢着できるように構成されている。
【００３２】
図３に戻り、前記第一部材１０１ａ、及び第二部材１０１ｂは、ガイド面Ｇの短手方向の一端側となる一側端面に、一対のガイド体１２ａ，１２ｂのうちの一方のガイド体１２ａを取り付け得るようになっている。
【００３３】
前記側端部材１０１ｃは、前記第一部材１０１ａ、及び第二部材１０１ｂの短手方向の他側端面に接続されており、第一部材１０１ａと第二部材１０１ｂとを連結している。該側端部材１０１ｃには、前記一対のガイド体１２ａ，１２ｂのうちの他方のガイド体１２ｂを内装する空間からなるガイド体内装部１０５が形成されている。該ガイド体内装部１０５は、ガイド面Ｇの短手方向の他端側にペーパー挿通用隙間Ｓによって形成された開口に連通している。
【００３４】
図２に戻り、上記構成のペーパー挿通体１０１は、ガイド面Ｇの長手方向の一端側を上方に位置させてガイド面Ｇを傾斜させるように、ペーパー挿通体１０１の短手方向（ガイド面Ｇの短手方向）の両側端が、フレーム１０の各側壁部１００（延出部１００ｂ）に連結されている。従って、ペーパー挿通用隙間Ｓも傾斜しており、ペーパーＰを斜め上方に向けて送り出せるようになっている。なお、本実施形態において、支持部１１上のロール体Ｒの配置と、ペーパー挿通体１０１の取り付け位置（ペーパー挿通用隙間Ｓの配置）との関係により、ロール体Ｒから巻きの解かれたペーパーＰをそのままの姿勢で直接ペーパー挿通用隙間Ｓ内に挿入すると、ペーパーＰがペーパー挿通体１０１に接触して円滑な送り込みが困難になるため、ペーパー挿通体１０１とロール体Ｒの間に方向変換用ローラ１０７が配設されており、ロール体Ｒから巻きの解かれたペーパーＰを、一旦、方向変換用ローラ１０７に巻き掛け、該ペーパーＰをペーパー挿通用隙間Ｓに挿入するように構成されている。
【００３５】
前記支持部１１は、一対の支持ローラ１１ａ，１１ｂで構成されており、前記フレーム１０の側壁部１００間に配設され、両端部が各側壁部１００（横長部１００ａ）に枢着されている。該一対の支持ローラ１１ａ，１１ｂは、ロール体Ｒの芯体の鍔の直径よりも狭い間隔で、軸芯を略水平、且つ横並びにして配設されている。これより、ロール体Ｒの鍔を一対の支持ローラ１１ａ，１１ｂによって支持することができる。なお、本実施形態において、一対の支持ローラ１１ａ，１１ｂ、後述する他方のローラ１３ｂ、方向変換用ローラ１０７は、装置本体２の後述するマガジン収容部２０から駆動を受け得るように構成された歯車を介して作動的に連結されており、それぞれ同期を取って所定の回転方向に回転駆動できるようになっている。したがって、前記一対の支持ローラ１１ａ，１１ｂが回転することで、ロール体Ｒの鍔が支持ローラ１１ａ，１１ｂ上で回転し、当該ロール体Ｒが軸心周りで回転することになる。
【００３６】
前記一対のガイド体１２ａ，１２ｂは、図３に示す如く、それぞれ帯状のプレート材で構成されており、一方のガイド体１２ａは、前記第一部材１０１ａ及び第二部材１０１ｂとで形成したペーパー挿通用隙間Ｓによりガイド面Ｇの短手方向の一端側に形成された開口を閉塞するように、前記ペーパー挿通体１０１（第一部材１０１ａ、及び第二部材１０１ｂ）に固着されている。
【００３７】
他方のガイド体１２ｂは、一方のガイド体１２ａに向けて移動可能に前記ガイド体内装部１０５に内装されている。前記ガイド体内装部１０５には、該ガイド体１２ｂを一方のガイド体１２ａに向けて付勢する付勢手段１２０（本実施形態においてはコイルバネ）が内装されており、ペーパー挿通用隙間Ｓ内を通過するペーパーＰの側端を他方のガイド体１２ｂで付勢して、該ペーパーＰを一方のガイド体１２ａに押し付けて幅方向の移動を規制するようになっている。
【００３８】
前記一対のローラ１３ａ，１３ｂのうちの一方のローラ１３ａは、外径が他方のローラ１３ｂよりも小径に設定されるとともに、軸心方向のローラ幅が他方のローラ１３ｂよりも狭く設定されており、ホルダー１４を介してフレーム１０（第一部材１０１ａ）に取り付けられている。他方のローラ１３ｂは、第二部材１０１ｂの第二ローラ収容穴１０６に収容されており、上述の如く、回転駆動可能に構成されている。その一方で、前記一方のローラ１３ａは、他方のローラ１３ｂの回転に従動回転できるようになっている。
【００３９】
該一対のローラ１３ａ，１３ｂは、それぞれ第一部材１０１ａ、及び第二部材１０１ｂに取り付けられた状態で、一対のガイド体１２ａ，１２ｂ間に位置するように設けられている。また、一対のローラ１３ａ，１３ｂは、図４に示す如く、一方のローラ１３ａが、他方のローラ１３ｂの軸心に対し、ガイド体１２ａ，１２ｂ間でのペーパーＰの送り出し方向の下流側に軸心を変位させた配置になるように、ペーパー挿通体１０１（第一部材１０１ａ、及び第二部材１０１ｂ）に取り付けられている。すなわち、他方のローラ１３ｂが、軸心を一方のローラ１３ａの軸心より上流側に変位させて設けられている。これにより、一対のガイド体１２ａ，１２ｂで両側端がガイドされたペーパーＰが、一対のガイド体１２ａ，１２ｂ間で長手方向で迂曲するようになっている。
【００４０】
前記ホルダー１４は、前記一方のローラ１３ａを収容可能に構成されるとともに、前記第一部材１０１ａのホルダー内装部１０２の貫通穴１０４に遊嵌可能に構成された被遊嵌部１４０と、該ホルダー１４を前記抜止ガイドピン１５ａ，１５ｂを介してフレーム１０（第一部材１０１ａ）に取り付けるためのプレート状をなす一対の取付板部１４１ａ，１４１ｂとで構成されている。
【００４１】
前記被遊嵌部１４０は、外観ブロック状に形成されており、前記一方のローラ１３ａを内装する第一ローラ収容穴１４２が形成されている。該第一ローラ収容穴１４２は、貫通した断面長方形状の角穴で構成され、被遊嵌部１４０の両面に開口を形成している。また、該被遊嵌部１４０の両側壁には、該第一ローラ収容穴１４２で開口が形成された一方の面から他方の面に向けて掘り下げられた軸挿入溝１４３が形成されている。該軸挿入溝１４３は、第一ローラ収容穴１４２と外部とを連通して形成されている。さらに、該軸挿入溝１４３と重なるように、該被遊嵌部１４０の一方の面から他方の面に向けて断面円形状の被貫通状態のバネ挿入穴１４４が穿設されている。該バネ挿入穴１４４の穴深さは、前記軸挿入溝１４３の掘り下げ深さと略同等、或いは、やや浅く設定されている。
【００４２】
上記構成の被遊嵌部１４０は、前記一方のローラ１３ａの両端に延設された軸体が前記軸挿入溝１４３に嵌め込まれた状態で、一方のローラ１３ａが第一ローラ収容穴１４２に内装されている。さらに、この状態でバネ挿入穴１４４内にコイルバネ１４５が挿入されており、軸体が当該被遊嵌部１４０の他方の面側に付勢されている。なお、バネ挿入穴１４４で形成された開口は、コイルバネ１４５の脱落を防止すべく、バネ挿入穴１４４にコイルバネ１４５を内装した状態で閉鎖されている。
【００４３】
前記一対の取付板部１４１ａ，１４１ｂは、平板状に形成されており、各面がローラ１３ａの軸心と略平行をなすように、被遊嵌部１４０の前後面に延設されている。また、一対の取付板部１４１ａ，１４１ｂには、前記抜止ガイドピン１５ａ，１５ｂを挿通する貫通した挿通穴１４６ａ，１４６ｂが穿設されている。該挿通穴１４６ａ，１４６ｂは、該抜止ガイドピン１５ａ，１５ｂの軸径よりも大きく設定されている。該取付板部１４１ａ，１４１ｂは、被遊嵌部１４０を貫通穴１０４に遊嵌した状態で、該被遊嵌部１４０が第一部材１０１ａのガイド面Ｇから突出することのないように延設位置が設定されている。
【００４４】
前記二本の抜止ガイドピン１５ａ，１５ｂは、それぞれ一端部に鍔状の抜止部１５０ａ，１５０ｂが形成されている。一方の抜止ガイドピン１５ａの抜止部１５０ａは、他端に向けて先細りしてテーパー状をなし、他方の抜止ガイドピン１５ｂの抜止部１５０ｂは円板状に形成されている。該抜止ガイドピン１５ａ，１５ｂは、前記ホルダー１４の取付板部１４１ａ，１４１ｂの挿通穴１４６ａ，１４６ｂに挿通した状態で、第一部材１０１ａの前記ネジ挿通穴に挿通したネジ部材によって螺着されている。具体的には、一方の抜止ガイドピン１５ａは、一方の取付板部１４１ａの挿通穴１４６ａに遊嵌した状態で、第一部材１０１ａの上流側のネジ挿通穴に挿通したネジ部材によって、他端が第一部材１０１ａに螺着され、他方の抜止ガイドピン１５ｂは、他方の取付板部１４１ｂの挿通穴１４６ｂに遊嵌した状態で、第一部材１０１ａの下流側のネジ挿通穴に挿通したネジ部材によって、他端が第一部材１０１ａに螺着されている。これにより、該ホルダー１４は、収容した一方のローラ１３ａに対してペーパーＰの送り出し方向の上流側、及び下流側の部分（取付板部１４１ａ，１４１ｂ）に、抜止ガイドピン１５ａ，１５ｂが挿通された状態で、フレーム１０に取り付けられた状態となっている。
【００４５】
この状態で、前記ホルダー１４は、被遊嵌部１４０が第一部材１０１ａの貫通穴１０４（ホルダー内装部１０２）内に遊嵌された状態で、二本の抜止ガイドピン１５ａ，１５ｂの軸心方向で移動でき、且つ上流側に位置する一方の抜止ガイドピン１５ａ周りで回転できるようになっている。すなわち、前記ホルダー１４は、一方のローラ１３ａを他方のローラ１３ｂに向けて付勢するように構成されるとともに、上流側に位置する一方の抜止ガイドピン１５ａの抜止部１５０ａがテーパー状に形成されているので、該付勢に対する反力が該ホルダー１４に作用し、第一部材１０１ａの凹部１０３の奥部の面と取付板部１４１ａ，１４１ｂの一方の面との間に隙間を形成した状態で、該ホルダー１４の一方の面（取付板部１４１ａの他方の面）が上流側の抜止ガイドピン１５ａの抜止部１５０ａの外周に線接触した状態となり、小さな抵抗で円滑に回転できるようになっている。
【００４６】
これにより、組み付け時に一方のローラ１３ａが、他方のローラ１３ｂの軸心と平行な状態になっていなくても、ローラを回転させることで一方のローラ１３ａが他方のローラ１３ｂの姿勢に従おうとしてホルダー１４が、上流側の抜止ガイドピン１５ａ周りで回転し、ローラ１３ａ，１３ｂの軸心同士が平行になる。
【００４７】
また、この状態で、上述の如く、第二部材１０１ｂに枢着した他方のローラ１３ｂの軸心に対し一方のローラ１３ａの軸心が、ペーパーＰの引き出し方向の下流側に変位した状態となっている。
【００４８】
図１に戻り、前記装置本体２は、前記マガジン１が収容されるマガジン収容部２０と、該マガジン収容部２０に収容されたマガジン１から送給されるペーパーＰを下流側に搬送する搬送系（図示しない）と、該搬送系（図示しない）によって搬送されてくるペーパーＰにプリント処理を施す前記プリント部２１と、該プリント部２１によってプリントされたペーパーＰが排出されるペーパー排出部２２とで構成されている。なお、プリント部２１、ペーパー排出部２２、搬送系等の構成についての図示は省略している。
【００４９】
本実施形態にかかるマガジン収容部２０は、上記構成のマガジン１を上下二段に配設できるように構成されており、収容したマガジン１をスライドさせて引き出せるようなっている。また、該マガジン収容部２０は、前記マガジン１を収容した状態で、上述の如く、該マガジン１の他方のローラ１３ｂ等に駆動を伝達できるように構成されている。
【００５０】
前記プリント部２１は、下流側から搬送されてきたペーパーＰの一方の面を吸着し、該ペーパーＰの移動を規制するガイド台と、該ガイド台に吸着されたペーパーＰの他方の面に向けてインクを吐出するヘッドとを備えている。
【００５１】
前記ガイド台は、ペーパーＰを吸着する面が略平面状に形成されており、該面には、バキューム装置に流体的に接続された複数の吸気穴が形成されている。
【００５２】
前記ヘッドは、七色（ＢＬＡＣＫ、ＬＩＧＨＴ  ＢＬＡＣＫ、ＣＹＡＮ、ＬＩＧＨＴ  ＣＹＡＮ、ＭＡＧＥＮＴＡ、ＬＩＧＨＴ  ＭＡＧＥＮＴＡ、ＹＥＬＬＯＷ）のインクのそれぞれが入れられた七つのタンクにチューブを介して接続されており、ペーパーＰと対向する面に前記インクを吐出させる多数のノズルが形成されている。該ヘッドの内部には、ノズルからインクを吐出させるべく、各ノズルに対応するように複数のヒータが内装されており、各ヒータでインクを加熱して膨張させることで各ノズルからインクを吐出できるようになっている。
【００５３】
該ヘッドは、ペーパーＰの搬送方向と直交する方向に往復動可能に構成されており、ガイド台によってガイドされたペーパーＰの他方の面の全面に向けてインクを吐出させ得るように構成されており、いわゆる、フチなしプリントが可能となっている。
【００５４】
次に、上記構成のインクジェットプリンタ（マガジン１）の作動について説明する。
【００５５】
まず、ロール体Ｒを支持部１１（一対の支持ローラ１１ａ，１１ｂ）上に配置する。そして、ロール体Ｒから巻きを解いたペーパーＰを方向変換用ローラ１０７に巻きかけ、前記ペーパー挿通体１０１のペーパー挿通用隙間Ｓに挿入する。そうすると、ペーパーＰは、他側端が他方のガイド１２ｂによって付勢されて一側端が一方のガイド体１２ａに接触し、幅方向に撓んだ状態となる。
【００５６】
さらに、ペーパーＰをペーパー挿通用隙間Ｓの下流側に送り込むと、ペーパーＰは、一対のガイド体１２ａ，１２ｂに両側端がガイドされつつ、一対のローラ１３ａ，１３ｂ間に入り込む。この際、ペーパーＰの先端は、軸心を下流側に変位させた一方のローラ１３ａに一旦接触した後に、該ローラ１３ａに沿って移動して一対のローラ１３ａ，１３ｂ間に入り込むことになり、一対のローラ１３ａ，１３ｂ間に位置するペーパーＰは、ペーパー挿通用隙間Ｓに挿通した際のペーパーＰの姿勢に対して傾斜した状態となる。そして、ペーパーＰを更に下流側に送り込むと、一対のローラ１３ａ，１３ｂ間を通過したペーパーＰは、ガイド面Ｇに沿って、ローラ１３ａ，１３ｂより上流側に位置するペーパーＰと同方向に向いた姿勢になる。
【００５７】
したがって、ペーパーＰは、一対のローラ１３ａ，１３ｂを通過することで、長手方向に迂曲した状態となって幅方向の強度が高まり（幅方向のコシが強くなり）、このコシの強さによって他方のガイド体１２ｂの付勢に対抗できる状態となる。これにより、ペーパーＰは、一対のガイド体１２ａ，１２ｂで幅方向の移動が規制されていても、幅方向に撓むことなくまっすぐな姿勢となり、真の搬送軌道の中心からずれることなく下流側に送り出せる状態となる。
【００５８】
そして、マガジン１を装置本体２のマガジン収容部２０に収容し、該マガジン収容部２０から当該マガジン１に駆動を伝達して他方のローラ１３ｂを回転させ、ペーパーＰを順次プリント部２１に向けて送り出す。この際においても、マガジン１の一対のローラ１３ａ，１３ｂによって、ペーパーＰはガイド体１２ａ，１２ｂ間で迂曲した状態で送り出されているので、初期の段階と同様に、幅方向に撓むことなくまっすぐな姿勢で順次送り出されている。その後、ペーパーＰは、プリント部２１のプリント領域に適正に送り込まれてプリントされた後に、定寸に切断されて前記ペーパー排出部２２に排出されることになる。
【００５９】
以上のように、上記構成のマガジン１は、ガイド体１２ａ，１２ｂ間に配設された一対のローラ１３ａ，１３ｂのうちの一方のローラ１３ａを、他方のローラ１３ｂの軸心に対してペーパーＰの送り出し方向で下流側に軸心を変位させて設けたので、下流側に送り出されるペーパーＰをガイド体１２ａ，１２ｂ間で長手方向に迂曲させることができる。これにより、ガイド体１２ａ，１２ｂ間に位置するペーパーＰにおける幅方向の強度を高めることができ（コシを強くすることができ）、ペーパーＰが一対のガイド体１２ａ，１２ｂで幅方向に付勢されていても、ペーパーＰは、他方のガイド体１２ｂの押し付け力（付勢力）に耐え得ることができ、常に真っ直ぐな姿勢で下流側に送り出されることになる。
【００６０】
したがって、当該マガジン１を装置本体２に装着した際に、ペーパーＰの中心と真の搬送軌道の中心とを一致させた状態で、ペーパーＰをプリント部２１のプリントを行う適正な領域に送り込むことができ、そのペーパーＰに対して適正に画像を形成することができる。
【００６１】
また、上流側に位置する他方のローラ１３ｂを回転駆動可能に構成し、他方のローラ１３ｂに対して軸心を下流側に変位させた一方のローラ１３ａを他方のローラ１３ｂに対して従動回転可能に構成したので、当該マガジン１にペーパーＰをセットするに際し、ペーパーＰが無理にローラ１３ａ，１３ｂ間に引き込まれることなく、円滑にローラ１３ａ，１３ｂ間に送り込むことができる。これにより、ペーパーＰを該マガジン１にセットする際に、ペーパーＰを傷めるのを防止することができる。
【００６２】
さらに、他方のローラ１３ｂに向けて付勢するように一方のローラ１３ａをホルダー１４に取り付けるとともに、該ホルダー１４の上流側の部分（取付板部１４１ａ）に抜止部１５０ａが形成された抜止ガイドピン１５ａを挿通することで、該ホルダー１４を上流側の一方の抜止ガイドピン１５ａ周りで回転可能に構成するとともに、前記ホルダー１４が他方のローラ１３ｂから離間する方向で脱落するのを防止するようにしたので、取付時に一方のローラ１３ａの軸心と他方のローラ１３ｂとの軸心同士が平行になっていなくても、ペーパーＰを下流側に送り出すためにローラを回転させることで、各ローラ１３ａ，１３ｂの軸心同士を略平行にすることができ、ペーパーＰの送り出しにおける指向性能を高めることができる。これにより、煩雑なローラ１３ａ，１３ｂの位置決め作業を行うことなく、一対のローラ１３ａ，１３ｂを組み付けることができる。
【００６３】
また、上流側に配置される一方の抜止ガイドピン１５ａを挿通する挿通穴１４６ａの穴径を該抜止ガイドピン１５ａの軸径よりも大きく設定するとともに、該抜止ガイドピン１５ａの抜止部１５０ａをテーパー状に形成したので、ホルダー１４と抜止部１５０ａとを線接触させることができ、ホルダー１４と上流側の抜止ガイドピン１５ａとの接触抵抗を小さくすることができる。これにより、当該ホルダー１４を円滑に上流側の抜止ガイドピン１５ａ周りで回転させることができる。
【００６４】
さらに、ホルダー１４の下流側の部分（他方の取付板部１４１ｂ）に他方の抜止ガイドピン１５ｂを遊挿するようにしたので、ホルダー１４が一方の抜止ガイドピン１５ａ周りで必要以上に回転するのを防止することができる。
【００６５】
尚、本発明のマガジンは、上記実施形態に限定されるものではなく、本発明の要旨を逸脱しない範囲内において種々変更を加え得ることは勿論である。
【００６６】
上記実施形態において、マガジン１を写真プリント用のインクジェットプリンタに適用したが、これに限定されるものではなく、例えば、上記構成のマガジン１をペーパー（感光紙）に対して露光処理、及び現像処理を施すように構成された写真処理装置に適用してもよい。また、インクジェットプリンタは、写真プリント用に限定されるものではなく、種々の用途に利用されるものであってもよい。つまり、本発明にかかるマガジンは、装置本体に装着した状態で、収容したペーパーが該装置本体内のプリント部に送り出され、そのペーパーに対してプリント部で画像を形成するように構成された画像形成装置であれば適用することができる。
【００６７】
上記実施形態において、一方のローラ１３ａの軸心を他方のローラ１３ｂの軸心に対し、一対のガイド体１２ａ，１２ｂ間におけるペーパーＰの送り出し方向で下流側に変位させるようにしたが、これに限定されるものではなく、例えば、一方のローラ１３ａの軸心を他方のローラ１３ｂの軸心に対し、一対のガイド体１２ａ，１２ｂ間におけるペーパーＰの送り出し方向で上流側に変位させた状態で、一方のローラ１３ａを設けるようにしてもよい。このようにしても、ロール体Ｒから巻きが解かれたペーパーＰを一対のローラ１３ａ，１３ｂ間を通過させることで、該ペーパーＰを長手方向で迂曲させることができ、上記実施形態と同様に、他方のガイド体１２ｂによる付勢に対抗できる状態にすることができ、ペーパーＰの中心を真の搬送軌道の中心に一致させた状態でペーパーＰを下流側に送り出すことができる。
【００６８】
また、上記実施形態において、他方のローラ１３ｂを回転駆動可能に構成するとともに、軸心を下流側に変位させた一方のローラ１３ａを、他方のローラ１３ｂに対して従動回転可能に構成したが、これに限定されるものではなく、例えば、軸心を下流側に変位させた一方のローラ１３ａを回転駆動可能に構成するとともに、他方のローラ１３ｂを一方のローラ１３ａの回転に従動回転するように構成したり、一対のローラ１３ａ，１３ｂのそれぞれを同期を取って回転駆動するように構成したりしてもよい。ただし、ペーパーＰが傷むのを極力抑えるには、上記実施形態のように、他方のローラ１３ｂを回転駆動可能に構成するとともに、軸心を下流側に変位させた一方のローラ１３ａを、他方のローラ１３ｂに対して従動回転可能に構成することが好ましい。
【００６９】
上記実施形態において、ホルダー１４を介して一方のローラ１３ａを取り付けるようにしたが、これに限定されるものではなく、例えば、他方のローラ１３ｂと同様に、一方のローラ１３ａをフレーム１０（第一部材１０１ａ）に直接取り付けるようにしても勿論よい。この場合においても、一方のローラ１３ａの軸心を他方のローラ１３ｂの軸心に対し、一対のガイド体１２ａ，１２ｂ間におけるペーパーＰの送り出し方向の上流側、又は下流側に変位させ、該一方のローラ１３ａを設けることは勿論のことである。ただし、一対のローラ１３ａ，１３ｂのそれぞれを、容易に適正な配置にするには、上記実施形態と同様に、上記構成のホルダー１４を介して一方のローラ１３ａをフレーム１０に取り付けることが好ましい。
【００７０】
また、上記実施形態において、ホルダー１４における上流側の取付板部１４１ａの挿通穴１４６ａに挿通される抜止ガイドピン１５ａの抜止部１５０ａをテーパー状に形成するとともに、該一方の抜止ガイドピン１５ａを挿通する挿通穴１４６ａの穴径を該抜止ガイドピン１５ａの軸径よりも大きく設定し、抜止ガイドピン１５ａの抜止部１５０ａと、ホルダー１４（被遊嵌部１４０）とを線接触状態にすることで、ホルダー１４の回転抵抗を小さくするようにしたが、これに限定されるものではなく、例えば、上流側の取付板部１４１ａの挿通穴１４６ａの内周面と抜止ガイドピン１５ａの外周面とが周方向に摺接できるように、該挿通穴１４６ａの穴径を設定してもよい。このようにしても、ホルダー１４を上流側の抜止ガイドピン１５ａ周りで回転させることができ、一対のローラ１３ａ，１３ｂの軸心を容易に平行状態にすることができる。
【００７１】
また、上記実施形態において、ホルダー１４の下流側の部分（他方の取付板部１４１ｂ）にも抜止ガイドピン１５ｂを遊挿するようにしたが、上述の如く、上流側の抜止ガイドピン１５ａ周りでホルダー１４が回転できれば、一対のローラ１３ａ，１３ｂの軸心同士を平行にすることができるので、ホルダー１４の下流側の部分に遊挿する抜止ガイドピン１５ｂは、必要に応じて設ければよい。ただし、ホルダー１４の回転範囲を定める場合には、上記実施形態と同様に、ホルダー１４の下流側の部分にも抜止ガイドピン１５ｂを遊挿することが好ましい。
【００７２】
上記実施形態において、支持部１１を一対の支持ローラ１１ａ，１１ｂで構成し、ロール体Ｒの鍔を支持することで、該ロール体Ｒを軸心周りで回転可能に支持するようにしたが、これに限定されるものではなく、例えば、前記一対の支持ローラ１１ａ，１１ｂでロール体Ｒの外周面を支持するようにしたり、ロール体Ｒの芯体を軸支するように構成したりしてもよい。
【００７３】
上記実施形態において、二本の抜止ガイドピン１５ａ，１５ｂを第一部材１０１ａのガイド面Ｇ側から挿通したネジ部材を介して該第一部材１０１ａに取り付けるようにしたが、これに限定されるものではなく、例えば、抜止ガイドピン１５ａ，１５ｂをホルダー１４の一方の面（被遊嵌部１４０の一方の面）側から挿入した状態で、該抜止ガイドピン１５ａ，１５ｂの一端側（抜止部１５０ａ，１５０ｂ側）をフレーム１０に固着するようにしてもよい。このようにしても、ホルダー１４を一方の抜止ガイドピン１５ａ周りで回転可能にすることができるとともに、他方のローラ１３ｂから離間する方向へ脱落するのを防止することができる。
【００７４】
上記実施形態において、他方のローラ１３ｂの軸心に対して軸心をペーパーＰの送り出し方向の下流側に変位させた一方のローラ１３ａをホルダー１４に取り付けるようにしたが、これに限定されるものではなく、例えば、上流側に位置する他方のローラ１３ｂをホルダー１４に取り付け、一方のローラ１３ａをペーパー挿通体１０１に直接取り付けるようにしてもよい。
【図面の簡単な説明】
【００７５】
【図１】本発明の一実施形態にかかるインクジェットプリンタの全体斜視図を示す。
【図２】同実施形態にかかるインクジェットプリンタに採用されるマガジンの概略側面図を示す。
【図３】図２のＸ−Ｘ断面図であって、ペーパー挿通体の拡大横断面図を示す。
【図４】図３のＹ−Ｙ断面図であって、ペーパー挿通体の拡大縦断面図を示す。
【符号の説明】
【００７６】
１…マガジン、２…装置本体、１０…フレーム、１１…支持部、１１ａ，１１ｂ…支持ローラ、１２ａ，１２ｂ…ガイド体、１３ａ，１３ｂ…ローラ、１４…ホルダー、１５ａ，１５ｂ…抜止ガイドピン、２０…マガジン収容部、２１…プリント部、２２…ペーパー排出部、１００…側壁部、１００ａ…横長部、１００ｂ…延出部、１０１…ペーパー挿通体、１０１ａ…第一部材、１０１ｂ…第二部材、１０１ｃ…側端部材、１０２…ホルダー内装部、１０３…凹部、１０４…貫通穴、１０５…ガイド体内装部、１０６…第二ローラ収容穴、１０７…方向変換用ローラ、１２０…付勢手段（コイルバネ）、１４０…被遊嵌部、１４１ａ，１４１ｂ…取付板部、１４２…第一ローラ収容穴、１４３…軸挿入溝、１４４…バネ挿入穴、１４５…コイルバネ、１４６ａ，１４６ｂ…挿通穴、１５０ａ，１５０ｂ…抜止部、Ｇ…ガイド面、Ｐ…ペーパー、Ｒ…ロール体、Ｓ…ペーパー挿通用隙間
【図１】
2005154021.tif 000003
【図２】
2005154021.tif 000004
【図３】
2005154021.tif 000005
【図４】
2005154021.tif 000006